(57)【要約】【課題】酸性に変性したシリカゲル水溶液に薬効があるという知見を得たので該水溶液の効率の良い製法の確立を試みた。シリカゲル水溶液の単純な電気分解では陽極近辺に酸性の陽極液と陰極近辺にアルカリ性の陰極液は生成するが各々を単離するのは困難であった。従って各々の効率の良い生成法の確立を課題にした。【解決手段】容器内の水道水を有孔固体壁で仕切り両側の液体に接した電極に直流電圧をかける電気浸透流の作用で水位の上がった陰極液を陽極側に導いて液体を循環させた。途中水道水は陰極液内でシリカゲルを溶解した後、陽極液中に滴下され電気浸透流の稼働と同時に進行する水の電気分解で生成する酸素及び陽極電極の白金の触媒作用により酸化され酸性に変性されたシリカゲル水溶液となり効率よく単離、採取する事ができた。【選択図】図１
2018095543.tif 000002
【特許請求の範囲】
【請求項１】
シリカゲル水溶液を電気分解し酸性の陽極液とアルカリ性の陰極液を分離するに際し両液を有孔固体壁で仕切り両方の液体に接した電極に直流電圧をかけて電気浸透流の作用で水位の上がった陰極液を陽極側に導き液体を循環する。途中陰極液中でシリカゲルを溶解した陰極液を陽極側に導き電気浸透流の稼働と同時進行する水の電気分解で生成する酸素と陽極電極の触媒作用でシリカゲルを酸化する事を特徴とするシリカゲル水溶液を酸性に変性する方法。
【請求項２】
上記電気浸透流を稼働させる陽極電極及び水の電気分解で生成する酸素でシリカゲルを酸化する際の触媒ともなる陽極電極の材質を白金とする事を特徴とする請求項１記載のシリカゲル水溶液を酸性に変性する方法。
【発明の詳細な説明】
【技術分野】
【０００１】  本発明はシリカゲル水溶液を酸性に変性する方法に関する。一般にシリカゲル水溶液は弱アルカリ性であるがこの水溶液を直接電気分解すると陰極側に強アルカリ性、陽極側に弱酸性の液が生成する。この両液を分離採取する事は混合量が多く不可能に近い。本発明は両液の分離採取が容易である事が特徴である。本発明の装置の模式図を図１に示す。基本的には電気浸透流の技法を用いるがこれは一定容器内の流体を有効個体壁で仕切り両側の液体に接した電極に直流電圧をかけると陽極液が壁を通して陰極側に流入するもので本発明では有孔個体壁に市販の植木用素焼鉢用いている。使用する液は一般の水道水（東京都水道水）であり装置内では便宜上素焼鉢の内側で陰極に連続する水を陰極水、素焼鉢の外側で陽極に連続する水を陽極水と称する。陰極には汎用性金属（亜鉛、鉄、ニッケル、錫、鉛、銅）のいずれも有効であるが使い勝手の良いニッケルを使用している。陽極電極は白金に限定される。白金は電気浸透流の稼働や水の電気分解の陽極として長期使用に耐える事および水の電気分解で発生する酸素によるシリカゲルを酸化する際の触媒として必要である。本装置の稼働をみるとまづ陽極、陰極間に直流電圧をかけると陽極液が素焼鉢を通して陰極水に流入する。そのため陰極水は水位を上げてノズルガイド内を上昇しノズルから滴下される。ノズル先端の陽極水面からの高さは水滴がはっきり確認できる位置として稼働中である時その確認に使用する。かくして水は循環するが途中素焼鉢の中のシリカゲルを溶解してシリカゲル水溶液となりノズルから陽極液中に滴下される。使用するシリカゲルは全体が水に沈殿する最小粒度のものが良いが水に浮遊する粉末が多いものは不適当である。陽極液中に落下したシリカゲル水溶液は電気浸透流の稼働と同時に進行する水の電気分解により発生する酸素と陽極電極の白金の触媒作用で酸化される。【０００２】  一般にシリカゲルの分子式はＳｉＯ２・ｎＨ２Ｏで示されている。本発明の酸化されたシリカゲル水溶液の分子式は詳らかではないが活性化された酸素が上記分子式のに水と入れ替わったもの更に過剰に付加したものと考えている。本装置の稼働時間によって付加された酸素分子の数が増えると電流値も増える。それを初期の電流値の倍数でみると一定値で頭打ちになってそれ以上に稼働時間を増やせば電流値は増えるが其の物は長時間放置するともとの一定値に戻る。従ってその一定値の物を標準とみて製品としている。この製品を酸性に変性したシリカゲル水溶液として採取するがそれに応じて素焼鉢内のシリカゲルは減るが後に補充する。製品を採取した後は新規な水道水で次の製品の製造を続ける事ができる。初めの陰極水は循環し酸化されて全量酸性に変性されたシリカゲル水溶液になる。
【背景技術】
【０００３】  シリカゲル水溶液の単純な加水分解で陽極側に生成する酸性の液体に関して検討した結果、殺菌力の薬効があることが判明して以来該酸性液の薬効についての更なる検討および簡単な製造方法の検討を必要とした。まず薬効については殺菌作用が顕著である事から活性酸素の為であるか、ではどのように酸素が付加または水分子が入れ替わった形であるかなどの考察が必要であった。
【発明の開示】
【発明が解決しようとする課題】
【０００４】  該酸性液の製法を検討した。いくつかの実験の結果から陽極液と陰極液は分離して製造される事が必要であった。混合すると薬効の効果は無くなる事が判明した。
【課題を解決する為の手段】
【０００５】  酸性液とアルカリ液を分離して製造する装置には電気浸透流の装置の稼働に使用されている有孔個体壁の効用を検討した。その結果両液の混合は殆ど見られず市販の植木用素焼鉢で十分な効果がある事が判明した。しかし該素焼鉢の緻密性の為か使用電圧は水の分解電圧よりかなり高く直流電圧１３０から１４０Ｖが必要となる。これは一般家庭用電力交流１００Ｖの整流で容易に得られると思われる。
【発明の効果】
【０００６】  前記素焼鉢を有孔個体壁として使用し電気浸透流を稼働させ水位の上がった陰極液を陽極液上に移動させそこに滴下すれば液が支障なく循環するものであった。
【発明を実施する為の最良の形態】
【０００７】  本発明の主な薬効の効果は陽極に発生する酸素と白金による酸素の活性化であり該活性化酸素のシリカゲルへの吸着または入れ替えを増やす事である。この為に必要なのは稼働時間を長くして液が循環する回数を増やす事即ち陰極液がシリカゲルを溶解し陽極液となって酸化される回数が増える事である。次に実施例を示すが本発明を限定するものではない。
【実施例】
【０００８】  図１に従って素焼鉢を有孔個体壁とした電気浸透流の作用を用いて本発明の実施を試みた。有孔個体壁には素焼き２号鉢（（株）京橋園芸製）を用いてまず底穴を塞ぎノズルは陰極液が陽極液の水面の約５ｃｍ上から滴下するようにノズルガイドを取り付けた。鉢の中にシリカゲル（富士シリカゲルＩＤ  タイプ、８０ｍｅｓｈ，（株）富士シリシア製）４０ｇを入れ鉢の中心にニッケル製（１ｃｍＷｘ０．５ｍｍＴｘ２０ｃｍＬ）陰極を立て該鉢を１．８Ｌのプラスチック製容器の中に設置した。水は水道水を用いまずノズルガイドの陰極水の水面まで入れて鉢の外側に滲み出るのを確認した後陽極水として水道水を鉢の縁を超す水位まで入れた。次に鉢から約５ｃｍ離して陽極の白金棒（０．８ｍｍφｘ１０ｃｍＬ）を下げ、下部約４ｃｍを陽極液に浸した。陽極と陰極間には直流電圧１３０〜１４０Ｖをかけた。電流は初期に約５０ｍＡであった。一週間連続して通電したのち１５０ｍＡを超えたところで止めた。この陽極液全量が酸性に変性したシリカゲル水溶液の製品となった。稼働中水の減量分は補給した。
【産業上の利用可能性】
【０００９】  本発明の酸性に変性したシリカゲル水溶液の薬効としては一般皮膚炎治療用、消毒用、鼻づまり花粉症の治療、水虫の治療、食道の清浄用等に有効である。更に化粧用としても有効である。本発明の酸性に変性したシリカゲル水溶液は従来使用の有機薬品と異なり無機薬品として新規な薬剤である。また本発明の酸性に変性したシリカゲル水溶液の製造装置に使われている白金電極に替わって炭素電極を用いると炭素電極が溶解して炭素コロイド液、金電極を使用すると金が溶解して金コロイド液が生成する等他の薬剤を生成する可能性は充分である。
【図面の簡単な説明】
【００１０】
【図１】本発明に使用した装置の模式図である。
【符号の説明】
【００１１】  図１の符号の説明
１  陽極（白金）
２  陽極水（水道水）
３  陽極水の水面
４  有孔個体壁（素焼鉢）
５  シリカゲル充填層
６  ノズルガイド
７  ノズル
８  滴下水
９  陰極水の水面
１０  陰極水（水道水）
１１  陰極（ニッケル）
１２  容器（不導体）
【図１】
2018095543.tif 000003